(57)【要約】      （修正有）【課題】パネルにタッチすることにより、ＬＥＤが発光するタッチ筆において、必要なときのみボタンを押してＬＥＤのスイッチをオンにし、続いて、書き先でパネルにタッチすることで発光させる、ＬＥＤタッチ筆を提供する。【解決手段】ボタン９０が、下へ押されない場合、導通ばね９１が、電池Ａにタッチせず、ボタン９０が、下へ押された場合、導通ばね９１が、筆軸１０内の電池Ａに接触し、ユーザーにより一回目にボタン９０を押すと、ボタン９０が、下へ変位し、再び、ボタン９０を押すと、回復ばね９１により、ボタン９０が、元の位置に付勢される。ボタン９０を押すと、導通ばね９１が下へ押されて電池Ａの正極に接触し、書き先３２が、パネルにタッチすると、書き先３２内の配線板１００の一端にある導体１０２が、電池Ａの負極に接触して、ＬＥＤ１０１が発光し、ＬＥＤ１０１の光線が、書き先３２の管内から放射される。光点が、集中する利点が得られる。【選択図】図２
0003158210.tif 000002
【実用新案登録請求の範囲】
【請求項１】
中空の金属棒からなり、該金属棒内に電池が実装され、その一端に、内ネジが形成された筆軸と、
中空の構造であって、その一端に形成された外ネジにより、上記筆軸の内ネジと螺合された筆先と、
中空の構造であって、その一端に、筆先から突出可能な書き先が接続され、その内部に、配線板が嵌設され、該配線板の一端にＬＥＤが接続され、他端に導体が接続されたチューブと、
上記配線板の導体の外側に嵌設されて、上記チューブ内に係合された第一ばねと、
第一ばねの一端に金属ループコイルが接続され、該金属ループコイルが、筆先の開口端にロックされることにより、配線板の導体と絶縁になって、第一ばねと導通になる第一絶縁体と、
中空の構造であって、第二ばねに当接するように、筆軸の上方にある管口の底端に嵌設される金属管と、
該金属管に貫通し、底端に導通ばねが嵌設され、該導通ばねを介して、上端電池と接触するボタンと、
が含有されるＬＥＤタッチ筆であって、
ユーザーがボタンを押すことにより、ＬＥＤのスイッチをオンしてから、ユーザーが書き先でパネルをタッチすると、配線板の一端に接続された導体が、下端にある電池に接触して、ＬＥＤが発光する、
ことを特徴とするＬＥＤタッチ筆の構造。
【請求項２】
上記配線板の中央に、昇圧ＩＣが設置され、両側に、それぞれ、容量とインダクタが設置され、昇圧ＩＣで、電流の安定性が制御されて、電池の容量を最大にすることを特徴とする請求項１に記載のＬＥＤタッチ筆の構造。
【請求項３】
上記金属管の下方に、第二ばねと第二絶縁体が設置され、ボタンの下方にある導通ばねが、第二ばねと第二絶縁体に貫通し、ユーザーがボタンを押すと連動し、導通ばねが、上端にある電池に接触して、ＬＥＤのスイッチをオンにし、再び、ボタンを押すと、ボタンが元の位置に戻ることを特徴とする請求項１に記載のＬＥＤタッチ筆の構造。
【請求項４】
上記金属管内に、電子スイッチが設置され、ボタンの下方にある導通ばねが、常に上方の電池に接触し、ボタンを押すと、ＬＥＤのスイッチがオンになり、書き先で、パネルにタッチすることにより、ＬＥＤを発光させることを特徴とする請求項１に記載のＬＥＤタッチ筆の構造。
【考案の詳細な説明】
【技術分野】
【０００１】
本考案は、ＬＥＤタッチ筆の構造に関し、特に、タッチ筆の上端に設けたスイッチ構造と、タッチ筆の筆先でパネルに接触することにより、ＬＥＤの発光が制御可能な構造とからなるＬＥＤタッチ筆の構造に関する。
【背景技術】
【０００２】
従来のタッチ筆は、一般に、パネルにタッチすることにより、タッチ筆の先端に設けたＬＥＤ（発光ダイオード）が発光する構造のものである。上記の如きタッチ筆によれば、パネルにタッチすると、ＬＥＤが発光するが、ユーザーが、パネルにタッチ（Ｔｏｕｃｈ）しても発光することを欲しない場合があり、上記の従来のタッチ筆は、かかるユーザーのニーズに応じることができないという不便さがあった。また、一般のＬＥＤは、パネルにタッチする時、パネルの表面を損傷するという問題もあった。
かかる状況下において、ユーザーのニーズに応じて任意にＬＥＤが発光するように構成されたＬＥＤタッチ筆の構造の開発が切望されてきた。
【考案の開示】
【考案が解決しようとする課題】
【０００３】
従って、本考案の主な課題は、ＬＥＤの光源が、書き先の管内に集中され、パネルに接触する時、ＬＥＤの代わりに書き先を使用すればパネルに傷付くことなく、ボタンを押してＬＥＤのスイッチをオンにしてから、ユーザーが、再び書き先で、パネルにタッチ（Ｔｏｕｃｈ）すると、配線板の一端にある導体が、電池の負極に接触して、ＬＥＤが発光するＬＥＤタッチ筆の構造を提供する点にある。
【０００４】
また、本考案の他の課題は、電池の耐用寿命が最大に改善され、タッチ筆を使用する時、タッチのクリアランスの問題がなく、安定的な光源輝度が実現され、誘導がより安定的になるＬＥＤタッチ筆の構造を提供する点にある。
【課題を解決するための手段】
【０００５】
そこで、本考案者は、上記欠点を解消し、本考案の上記課題を解決するため、鋭意研究を繰り返した結果、有効に上記欠点を解消できることに着目し、かかる知見に基いて本考案の完成に到達した。
【０００６】
かくして、本考案によれば、請求項１において、
中空の金属棒からなり、該金属棒内に電池が実装され、その一端に、内ネジが形成された筆軸と、
中空の構造であって、その一端に形成された外ネジにより、上記筆軸の内ネジと螺合された筆先と、
中空の構造であって、その一端に、筆先から突出可能な書き先が接続され、その内部に、配線板が嵌設され、該配線板の一端にＬＥＤが接続され、他端に導体が接続されたチューブと、
上記配線板の導体の外側に嵌設されて、上記チューブ内に係合された第一ばねと、
第一ばねの一端に金属ループコイルが接続され、該金属ループコイルが、筆先の開口端にロックされることにより、配線板の導体と絶縁になって、第一ばねと導通になる第一絶縁体と、
中空の構造であって、第二ばねに当接するように、筆軸の上方にある管口の底端に嵌設される金属管と、
該金属管に貫通し、底端に導通ばねが嵌設され、該導通ばねを介して、上端電池と接触するボタンと、
が含有されるＬＥＤタッチ筆であって、
ユーザーがボタンを押すことにより、ＬＥＤのスイッチをオンしてから、ユーザーが書き先でパネルをタッチすると、配線板の一端に接続された導体が、下端にある電池に接触して、ＬＥＤが発光する、
ことを特徴とするＬＥＤタッチ筆の構造である。
【０００７】
請求項２によれば、
配線板の中央に、昇圧ＩＣが設置され、両側に、それぞれ、容量とインダクタが設置され、昇圧ＩＣで、電流の安定性が制御されて、電池の容量を最大にすることを特徴とする請求項１に記載のＬＥＤタッチ筆の構造である。
【０００８】
請求項３によれば、
金属管の下方に、第二ばねと第二絶縁体が設置され、ボタンの下方にある導通ばねが、第二ばねと第二絶縁体に貫通し、ユーザーがボタンを押すと連動し、導通ばねが、上端にある電池に接触して、ＬＥＤのスイッチをオンにし、再び、ボタンを押すと、ボタンが元の位置に戻ることを特徴とする請求項１に記載のＬＥＤタッチ筆の構造である。
【０００９】
請求項４によれば、
金属管内に、電子スイッチが設置され、ボタンの下方にある導通ばねが、常に上方の電池に接触し、ボタンを押すと、ＬＥＤのスイッチがオンになり、書き先で、パネルにタッチすることにより、ＬＥＤを発光させることを特徴とする請求項１に記載のＬＥＤタッチ筆の構造である。
【考案の効果】
【００１０】
本考案によれば、上記の如き構成からなり、ボタンを押してＬＥＤのスイッチをオンにした後、書き先でパネルにタッチすることによりＬＥＤを発光させる構造としたので、
ユーザーのニーズに任意に応じることができ、パネルの損傷の防止も図ることができ、使用価値の高いＬＥＤタッチ筆を提供することができる。
また、請求項２に係る考案によれば、昇圧ＩＣの設置により電流の安定性、電池容量の最大化を図ることができ、請求項３〜４に係る考案によれば、ＬＥＤのスイッチをオンにし、書き先のパネルタッチによりＬＥＤを発光させることが可能であるので、操作が簡便であり、使用価値の高いＬＥＤタッチ等を提供することができる。
【考案を実施するための最良の形態】
【００１１】
以下、図面を参照しながら、本考案の特徴及び技術内容について、詳しく説明する。もっとも、それらの図面等は、参考や説明のためであり、本考案は、それらによって限定されるものではない。
【００１２】
図１乃至図３を参照しながら、本考案にかかわるＬＥＤタッチ筆の構造について説明する。
本考案に係るＬＥＤタッチ筆の構造は、筆軸１０、筆先２０、チューブ３０、第一ばね４０、第一絶縁体５０、第二ばね６０、第二絶縁体７０、金属管８０及びボタン９０等の部材から構成されたものである。
【００１３】
筆軸１０は、中空の金属管で、下方に筆先２０が接続され、上方に金属管８０が接続されたものである。中空の筆先２０は、上端にある外ネジ２１により、筆軸１０の底端の内側にある内ネジ１１に螺合され（図３のように）、中空の金属チューブ３０が、筆先２０内に設置され、第一絶縁体５０が、筆先２０の上端の開口端に嵌設され、上記のように、組立てられた部材を、筆軸１０内にある直列された二つの１．５Ｖ電池Ａの下方に位置するように、筆軸１０内に設置して、下方にある電池Ａが、第一絶縁体５０に当接し、上方にある電池Ａが、第二絶縁体７０の下方に当接し、該第二絶縁体７０の上方に、更に第二ばね６０が嵌設される。
【００１４】
筆軸１０は、上方に位置する管口に、中空の金属管８０が嵌設され、該金属管８０が、更に、筆軸１０の内側に接触して導通し、ボタン９０は、金属管８０に貫通し、該ボタン９０の底端に、更に、導通ばね９１が嵌設され、該導通ばね９１が、中空の第二ばね６０と第二絶縁体７０に貫通する。
【００１５】
配線板１００の設計により、図２‐１のように、配線板１００の一端にある二つのピンに、ＬＥＤ  １０１が接続され、もう一端の負極であるピンに、導体１０２が接続され、中央の正極であるピンに、第一ばね４０が接続される。該第一ばね４０が、配線板１００に嵌設され、ＬＥＤ  １０１が、配線板１００とともに、中空のチューブ３０内に収納される。チューブ３０の一端から突出するネジ杆３１により、書き先３２のボルト孔３２１にロックされ、ＬＥＤ  １０１が、書き先３２に貫通できないが、ＬＥＤ  １０１の光線が、中空の書き先３２から放射できる。チューブ３０が、書き先３２とともに、筆先２０に収納される時、書き先３２が、中空の筆先２０の外側まで突出でき、第一絶縁体５０は、下方にあるフレンジ５１に、金属ループコイル５２が嵌設され、該金属ループコイル５２が、金属筆先２０のボルト孔２２にロックされる。
【００１６】
図３のように、普通、ボタン９０が、下へ押されない場合、導通ばね９１が、電池Ａにタッチせず、図４のように、ボタン９０が、下へ押された場合、導通ばね９１が、筆軸１０内の電池Ａに接触し、ユーザーにより一回目にボタン９０を押すと、ボタン９０が、下へ変位し、再び、ボタン９０を押すと、回復ばね９１により、ボタン９０が、元の位置に付勢される。
【００１７】
図２‐２のように、本考案は、配線板１００の中央に、昇圧ＩＣ  １０３があり、両側に、それぞれ、容量１０４とインダクタ１０５が設置され、昇圧ＩＣ  １０３により、電流安定性が制御されて、電池Ａの容量が、最大になり、タッチ筆が使用される度に、接触クリアランスの問題が生ずることなく、安定的な光源輝度や誘導が実現される。
【００１８】
図３のように、ボタン９０が、下へ押されない場合、ボタン９０の底端にある導通ばね９１が、電池Ａの正極にタッチせず、電池Ａと所定の距離で離れていて、ユーザーにより、書き先３２でパネルＢにタッチすると、書き先３２内のＬＥＤ  １０１が、発光しない。図４のように、ユーザーにより、ボタン９０を押すと、導通ばね９１が下へ押されて電池Ａの正極に接触し、図５のように、ユーザーにより、書き先３２が、パネルＢにタッチすると、書き先３２内の配線板１００の一端にある導体１０２が、電池Ａの負極に接触して、ＬＥＤ  １０１が発光し、ＬＥＤ  １０１の光線が、書き先３２の管内から放射される。光点が、集中する利点が得られる。
【００１９】
図６と図７を参照しながら、本考案に係るＬＥＤタッチ筆の構造の他の実施例について説明する。本考案の他の実施によるＬＥＤタッチ筆の構造は、筆軸１０、筆先２０、チューブ３０、第一ばね４０、第一絶縁体５０、金属管８０及びボタン９０等の部材からなり、金属管８０とボタン９０及びボタン９０の下方にある導通ばね９１が、一体に結合されたものである。また、金属管８０内に、電子スイッチが設置され（図に表示せず）、導通ばね９１が、常に筆軸１０内の上方にある電池Ａに接触する。図８のように、ボタン９０が、押されると、金属管８０内の電子スイッチがオンされ、ユーザーにより、再び、書き先３２でパネルＢにタッチすると（図９のように）、書き先３２内の配線板１００の一端にある導体１０２が、筆軸１０内の下方にある電池Ａに接触して、ＬＥＤ  １０１が発光する。
【００２０】
以上のように、本考案に係るＬＥＤタッチ筆の構造は、パネルにタッチすることにより、ＬＥＤが発光する筆ツールであり、上記筆ツールの上方に、ボタンが設置され、チューブ内に、配線板が設置され、チューブの一端に、書き先が接続され、配線板の一端にあるＬＥＤが、チューブ内に収納され、ユーザーによりボタンが押されると、ＬＥＤのスイッチがオンされ、ユーザーにより、再び、書き先でパネルにタッチすると、ＬＥＤが発光できる構造としたものである。
【００２１】
上記の説明から、本考案は、より進歩的かつより実用的であることは明らかであり、法に従って実用新案登録を求める。
【００２２】
以上の説明のうち具体例は、本考案のより良い実施例であり、本考案は、それらによって限定されるものではなく、本考案に係わる考案登録請求の範囲や明細書の内容に基づいて行った等価の変更や修正は、全てが、本考案の範囲内に含まれることは明らかである。
【図面の簡単な説明】
【００２３】
【図１】本考案の一実施形態によるＬＥＤタッチ筆の斜視図である。
【図２】本考案の一実施形態によるＬＥＤタッチ筆の分解斜視図である。
【図２−１】本考案の一実施形態によるＬＥＤタッチ筆の配線板の正面図である。
【図２−２】本考案の一実施形態によるＬＥＤタッチ筆の配線板の裏面平面図である。
【図３】本考案の一実施形態によるＬＥＤタッチ筆の断面図である。
【図４】本考案の一実施形態によるＬＥＤタッチ筆のボタンが押されてＬＥＤのスイッチがオンされる状態の断面図である。
【図５】本考案の一実施形態によるＬＥＤタッチパネルによりＬＥＤが発光する状態の断面図である。
【図６】本考案の実施例の分解図である。
【図７】本考案の実施例の断面図である。
【図８】本考案の一実施形態によるＬＥＤタッチ筆のボタンを押してＬＥＤのスイッチがオンされる状態の断面図である。
【図９】本考案の一実施形態によるＬＥＤタッチ筆のＬＥＤタッチパネルによりＬＥＤが発光する状態の断面図である。
【符号の説明】
【００２４】
１０    筆軸
１００  配線板
１０１  ＬＥＤ
１０２  導体
１０３  ＩＣ
１０４  容量
１０５  インダクタ
１１    内ネジ
２０    筆先
２１    外ネジ
２２    ボルト孔
３０    チューブ
３１    ネジ杆
３２    書き先
３２１  ボルト孔
４０    第一ばね
５０    第一絶縁体
５１    フレンジ
５２    金属ループコイル
６０    第二ばね
７０    第二絶縁体
８０    金属管
９０    ボタン
９１    導通ばね
Ａ      電池
Ｂ      パネル
【図１】
0003158210.tif 000003
【図２】
0003158210.tif 000004
【図２−１】
0003158210.tif 000005
【図２−２】
0003158210.tif 000006
【図３】
0003158210.tif 000007
【図４】
0003158210.tif 000008
【図５】
0003158210.tif 000009
【図６】
0003158210.tif 000010
【図７】
0003158210.tif 000011
【図８】
0003158210.tif 000012
【図９】
0003158210.tif 000013
【手続補正書】
【提出日】平成22年1月16日(2010.1.16)
【手続補正１】
【補正対象書類名】実用新案登録請求の範囲
【補正対象項目名】全文
【補正方法】変更
【補正の内容】
【実用新案登録請求の範囲】
【請求項１】
中空の金属棒からなり、該金属棒内に電池が実装され、その一端に、内ネジが形成された筆軸と、
中空の構造であって、その一端に形成された外ネジにより、上記筆軸の内ネジと螺合された筆先と、
中空の構造であって、その一端に、筆先から突出可能な書き先が接続され、その内部に、配線板が嵌設され、該配線板の一端にＬＥＤが接続され、他端に導体が接続されたチューブと、
上記配線板の導体の外側に嵌設されて、上記チューブ内に係合された第一ばねと、
第一ばねの一端に金属ループコイルが接続され、該金属ループコイルが、筆先の開口端にロックされることにより、配線板の導体と絶縁になって、第一ばねと導通になる第一絶縁体と、
中空の構造であって、第二ばねに当接するように、筆軸の上方にある管口の底端に嵌設される金属管と、
該金属管に貫通し、底端に導通ばねが嵌設され、該導通ばねを介して、上端電池と接触するボタンと、
が含有されるＬＥＤタッチ筆であって、
ユーザーがボタンを押すことにより、ＬＥＤのスイッチをオンしてから、ユーザーが書き先でパネルをタッチすると、配線板の一端に接続された導体が、下端にある電池に接触して、ＬＥＤが発光する、
ことを特徴とするＬＥＤタッチ筆の構造。
【請求項２】
上記配線板の中央に、昇圧ＩＣが設置され、両側に、それぞれ、容量とインダクタが設置されてなることを特徴とする請求項１に記載のＬＥＤタッチ筆の構造。
【請求項３】
上記金属管の下方に、第二ばねと第二絶縁体が設置され、ボタンの下方にある導通ばねが、第二ばねと第二絶縁体に貫通し、ユーザーがボタンを押すと連動し、導通ばねが、上端にある電池に接触して、ＬＥＤのスイッチをオンにし、再び、ボタンを押すと、ボタンが元の位置に戻ることを特徴とする請求項１に記載のＬＥＤタッチ筆の構造。
【請求項４】
上記金属管内に、電子スイッチが設置され、ボタンの下方にある導通ばねが、常に上方の電池に接触し、ボタンを押すと、ＬＥＤのスイッチがオンになり、書き先で、パネルにタッチすることにより、ＬＥＤを発光させることを特徴とする請求項１に記載のＬＥＤタッチ筆の構造。